(57)【特許請求の範囲】
【請求項１】
双方向通信ネットワークに接続するための手段を有する通信のための回路を有するオーディオ−ビジュアル番組を受信するための装置であって、当該装置は、
−マスタ装置から出力される電源電圧の伝送のための少なくとも１つの導体を有する、前記マスタ装置と通信するためのバスの第１のコネクタと、
−通信バスの少なくとも１つの第２のコネクタであって、各々の前記第２のコネクタは、少なくとも１つの周辺装置の前記接続を可能とする、第２のコネクタと、
−一方が、前記第１のコネクタ及び少なくとも前記第２のコネクタにスイッチング回路を介して接続され、且つ、他方が、前記コネクタへの前記接続を管理するコントローラに接続されたスプリッタと、
−前記第１のコネクタ内の前記電源電圧の存在を検出する手段とを有し、前記検出する手段は、前記第１のコネクタに接続され、且つ、前記電源電圧の出現に際して、スイッチング制御信号をスイッチング回路に対して発生し、それによって、当該装置を、前記コントローラが前記第２のコネクタに接続される第１のモードの動作から、前記スプリッタが前記コントローラ及び前記第２のコネクタに接続される第２のモードの動作に切り換え、前記第１のコネクタに接続された前記マスタ装置と前記少なくとも１つの第２のコネクタに接続された前記少なくとも１つの前記周辺装置との間で直接通信を確立する、
ことを特徴とする装置。
【請求項２】
前記第１のモードの動作は、当該装置が各周辺装置に関連してマスタとして動作する、いわゆるマスタモードの動作であり、前記第２のモードの動作は、当該装置が前記マスタ装置に関連して周辺装置として動作する、いわゆる周辺装置モードの動作であることを特徴とする請求項１に記載の装置。
【請求項３】
前記第１のコネクタは、ＢタイプのＵＳＢコネクタであり、且つ、各第２のコネクタはＡタイプのＵＳＢコネクタであることを特徴とする請求項１又は２に記載の装置。
【請求項４】
前記スイッチング回路は、前記電源電圧を表す信号が消失した場合、前記第２のコネクタと前記コントローラとの間のリンクを可能とするために、前記コントローラの入力／出力と前記第２のコネクタとに接続された、４連のスイッチを有することを特徴とする請求項１又は２に記載の装置。
【請求項５】
前記第１のモードと前記第２のモードとの間のスイッチングを制御するために、前記電源電圧を表す信号を、前記コントローラの入力と主マイクロプロセッサの入力へ送ることを特徴とする請求項４に記載の装置。
【請求項６】
前記４連スイッチが第１の状態へ切り換ったときには、当該装置は周辺装置モードで動作し、そして、前記４連スイッチが第２の状態へ切り換ったときには、当該装置はマスタモードで動作することを特徴とする請求項４に記載の装置。
【請求項７】
マスタ装置は、パーソナルコンピュータであり且つ、当該装置は、コンピュータが通信ネットワークと通信することを可能とするために、前記通信ネットワークに接続されたディジタル復号器を有することを特徴とする請求項１乃至５のうち何れか一項に記載の装置。
【請求項８】
１つの周辺装置又は複数の周辺装置は、復号器の外部にある更なるスプリッタによって、当該装置の前記第２のコネクタに接続されることを特徴とする請求項１乃至６のうち何れか一項に記載の装置。
【発明の詳細な説明】
【０００１】
【発明の属する技術分野】
本発明は、例えば、パーソナルコンピュータに接続された及び／又はプリンタのような少なくとも１つの周辺装置に接続されたオーディオ−ビジュアルプログラムを受信する装置に関する。オーディオ−ビジュアルプログラムを受信する装置は、例えば、双方向通信ネットワークに接続可能な復号器又は他の装置よりなることが可能である。
【０００２】
【従来の技術】
ケーブルテレビジョンネットワークの大部分のディジタル復号器は、戻り経路を装備する。この戻り経路は特に、復号されたオーディオビデオプログラムのユーザとテレビジョンネットワークの運営者との間の対話の機能のために使用される。しかしながら、そのような復号器は、一方では復号器の全ての資源を使用するためにそして他方では戻り経路を使用するために、例えば、パーソナルコンピュータのようなマスタシステム又は、プリンタのような周辺装置へ接続されるように設計されていない。
【０００３】
【発明が解決しようとする課題】
従って、本発明の目的は、例えばディジタル復号器のようなオーディオ−ビジュアルプログラムを受信するための装置に、他の装置が復号器にプラグインされる方法を変更することなしに、オーディオ−ビジュアル装置の少なくとも１つの周辺装置の、少なくとも１つの他の装置と接続及び通信を可能とし且つこの他の装置による使用を可能とするのに必要な装置を装備することである。
【０００４】
【課題を解決するための手段】
この目的は、双方向通信ネットワークに接続するための手段を有する通信のための回路を有するオーディオ−ビジュアル番組を受信するための装置であって、装置は、
−マスタ装置から出力される電源電圧の伝送のための少なくとも１つの導体を有する、マスタ装置と通信するためのバスの第１のコネクタと、
−各々の第２のコネクタは少なくとも１つの周辺装置の接続を可能とする、通信バスの少なくとも１つの第２のコネクタと、
−一方が、第１及び第２のコネクタに接続され、且つ、他方が、装置に関連してコネクタの動作のモードを管理するコントローラに接続されたスプリッタと、
−第１のコネクタ内の電源電圧の存在を検出する手段とを有し、その検出する手段は、第１のコネクタに接続され、且つ、電源電圧の出現に際して、装置を第１のモードの動作から第２のモードの動作に切り換えるために、スイッチング制御信号をスイッチング回路に対して発生することを特徴とする装置により達成される。
【０００５】
他の特徴に従って、第１のモードの動作は、装置が各周辺装置に関連してマスタとして動作する、いわゆるマスタモードの動作であり、第２のモードの動作は、装置がマスタ装置に関連して周辺装置として動作する、いわゆる周辺装置モードの動作である。
【０００６】
他の特徴に従って、第１のコネクタは、ＢタイプのＵＳＢコネクタであり、且つ、各第２のコネクタはＡタイプのＵＳＢコネクタである。
【０００７】
他の特徴に従って、スイッチング回路は、第１の所定のスイッチング状態に関して第２のコネクタとコントローラの間のリンクを可能とするために、コントローラの入力／出力と第２のコネクタに接続された、４連のスイッチを有する。
【０００８】
他の特徴に従って、スイッチング回路は、第２のスイッチング状態で、一方では第１のコネクタとコントローラの間のリンクを、そして、他方では第１のコネクタから第２のコネクタへのリンクを可能とするために、コントローラの入力／出力と２−経路スプリッタの入力／出力に接続され、それ自身が第１のコネクタに接続された、４連のスイッチを有する。
【０００９】
他の特徴に従って、リンクは、１つの状態から他の状態へのスイッチングを制御するために、電源電圧検出信号を、コントローラの入力と主マイクロプロセッサの入力へ送る。
【００１０】
他の特徴に従って、４連スイッチが第１の状態へ切り換ったときには、装置は周辺装置モードで動作し、そして、４連スイッチが第２の状態へ切り換ったときには、装置はマスタモードで動作する。
【００１１】
他の特徴に従って、マスタ装置は、パーソナルコンピュータであり且つ、装置はコンピュータが通信ネットワークと通信することを可能とするために、前記通信ネットワークに接続されたディジタル復号器を有する。
【００１２】
他の特徴に従って、１つの周辺装置又は複数の周辺装置は、復号器の外部にある更なるスプリッタによって、装置の第２のコネクタに接続される。
【００１３】
その特徴と優位点と共に本発明は、添付の図面を参照して説明を読めば、更に明らかと成ろう。
【００１４】
【発明の実施の形態】
本発明の非制限的な実施例を図１Ａ，１Ｂ及び、２を参照して説明する。
【００１５】
本発明の例示の実施例に従って、例えばＤＶＢ形式のディジタル復号器よりなるオーディオ−ビジュアルプログラムを受信する装置（１）は、例えば、ＢタイプのＵＳＢ（ユニバーサルシリアルバス）コネクタのような第１のコネクタ（１１）を有する。ＢタイプのＵＳＢコネクタは、図１Ａに従って、復号器（１）に対して、ＵＳＢバスのマスタであるマスタ装置（２）の接続を可能とする。マスタ装置（２）は、例えば、携帯又は非携帯パーソナルコンピュータであり、そして、コンピュータ（２）と復号器（１）の間のＵＳＢケーブル（２００）によるリンクの要求を満たすＡタイプのＵＳＢコネクタ（２１．１）を有する。この構成では、復号器（１）は、コンピュータ（２）の周辺装置として動作する。この構成は、
−一方ではＵＳＢケーブルを介して、パーソナルコンピュータ（２）と復号器（１）の間の１２メガビットの高速リンクを可能とし、
−他方では、特定のケーブルリンクにより、運営者のサーバのサービスへの復号器の戻り経路、運営者へのコンピュータ（２）の高ビットレート（数メガビット毎秒）のリンク、及び、おそらく後者を通してインターネットへのリンクを可能とする。
【００１６】
この構成の他の使用は、例えば、復号器ファイル管理又は画像上に重ねられる情報の導入、又は、コンピュータと復号器のユーザと運営者のサービスセンタの間の他の高度な対話性を可能とする。
【００１７】
このように、復号器（１）は、復号器（１）が接続されている双方向ケーブルネットワークに関するモデムとしてコンピュータ（２）により使用される。
【００１８】
他の周辺装置（７）も、例えば、プリンタのような周辺装置（７）のＢタイプのＵＳＢコネクタ（７１）に接続されたケーブル（７００）によって、コンピュータ（２）の他のＡタイプのＵＳＢコネクタ（２１．１）により、コンピュータ（２）に接続されうる。
【００１９】
本例示の実施例に従って、復号器（１）は、例えば、ＡタイプのＵＳＢコネクタのような、少なくとも１つの第２のコネクタ（１２）を有する。各ＡタイプのＵＳＢコネクタは、図１Ｂに示す構成に従って、少なくとも１つの周辺装置（モデム等の５，６）をＵＳＢケーブル（３００）により復号器（１）へ接続することを可能とする。図１Ｂに示されている構成に従って、復号器（１）は単一のＡタイプのＵＳＢコネクタ（１２）を有する。幾つかの周辺装置を復号器（１）に接続するために、ＵＳＢ形式のスプリッタ（４）（”ハブ”としても知られている）を、復号器のＡタイプのコネクタ（１２）にＵＳＢケーブル（３００）により接続することで十分である。スプリッタ（４）は、そして、復号器を接続するためのＢタイプのＵＳＢコネクタ（４１）と少なくとも２つのＡタイプのＵＳＢコネクタ（４２，４３）を有する。各Ａタイプのコネクタ（４２，４３）は周辺装置（５，６）を接続するのに使用される。このように、例えば、スキャナ（６）を有する第１の周辺装置は、ケーブル（４００）を介して、スプリッタ（４）のＡタイプのコネクタ（４３）の１つへのその接続の要求を満たすための、ＢタイプのＵＳＢコネクタ（６１）を有する。例えば、プリンタ（５）よりなる第２の周縁装置は、ケーブル（４０）を介して、スプリッタ（４）のＡタイプのフリーコネクタ（４２）の１つへのその接続の要求を満たすための、ＢタイプのＵＳＢコネクタ（５１）を有する。
【００２０】
従来技術によれば、コンピュータシステムのＵＳＢコネクタは、マスタモードか周辺装置モードのいずれかで動作するＵＳＢコントローラにより管理される。
【００２１】
本例示の実施例に従って、復号器（１）は、一方では復号器（１）の第１と第２のコネクタ（１１，１２）に接続され、そして、他方ではＵＳＢコネクタ（１１，１２）のコントローラ（１４）に接続された、スプリッタ回路（１７）も有する。
【００２２】
本例示の実施例に従って、復号器（１）にＡとＢタイプのＵＳＢコネクタ（１１，１２）とスプリッタ（１７）を特に加える小変更によって、従って、復号器（１）は、その主復号機能に加えて、周辺装置を管理する又は、それに接続され且つこの運営者を通してインターネットへ接続されるテレビジョン運営者のサーバへコンピュータ（２）の接続を可能とする他の補助機能を実行する。同様に、図１Ａに従って、復号器内にスプリッタ（１７）を配置することは、第１のＢタイプのＵＳＢコネクタ（１１）に接続されたマスタ装置（２）が、復号器（１）の第２のＡタイプのＵＳＢコネクタ（１２）に接続される周辺装置（５）を制御する即ち使用することを可能とし、これは双方向となる。
【００２３】
ＢタイプのＵＳＢコネクタの特徴は、ＵＳＢバスのマスタ装置のＡタイプのＵＳＢコネクタを通して供給される電源を受けることが意図されたピンを有することである。
【００２４】
本例示の実施例に従って、そして、図２に示されているように、ＵＳＢコントローラ（１４）とそのための復号器（１）の動作のモードの変更は、復号器（１）のＢタイプのコネクタ（１１）に来る電源電圧の出現を監視することにより行われる。そして、復号器（１）は、Ｂタイプコネクタ（１１）と電源電圧の出現でマスタモードの動作から周辺装置、双方向モードの動作になることにより復号器（１）の動作のモードを変更することが意図された、スイッチング手段（１３）へ接続された電源電圧を送るためのリンク（１００）を有する。
【００２５】
各ＵＳＢコネクタ（１１，１２）は、４つのピン（１１１から１１４、１２１から１２４）を有する。各コネクタ（１１，１２）の第１のピン（１１１、１２１）はアースに接続されている。第２と第３のピン（１１２，１１３，１２２，１２３）は、データを表す信号を送るのに使用され、第４のピン（１１４，１２４）は、ＵＳＢバスの電源である。本例示の実施例に従って、Ｂタイプコネクタ（１１）の第２と第３のそれぞれのピン（１１２，１１３）は、内部スプリッタ（１７）のそれぞれ第１と第２の入力（１７１，１７２）（”上流向き”と呼ばれる）に接続される。スプリッタは、例えば、参照記号ＡＴ  ４３３１２の下にＡＴＭＥＬにより販売される回路である。スプリッタ（１７）のそれぞれ第３と第４の入力（１７３，１７４）（”下流向き”と呼ばれる）は、各々が、スイッチング回路（１３）のそれぞれ第１と第２の出力（それぞれ１３．１、１３．２）に接続されている。スイッチング回路（１３）のそれぞれ第１と第２の出力（それぞれ１３．１、１３．２）は、４連スイッチにより本発明に従って実現されているスイッチング回路（１３）のそれぞれ第１（１３１）と第２（１３２）のスイッチの第１のポールに接続されている。
【００２６】
スプリッタ（１７）のそれぞれ第５と第６の入力（１７５，１７６）（”下流向き”と呼ばれる）は、各々が、スイッチング回路（１３）のそれぞれ第３と第４の出力（それぞれ１３．３、１３．４）に接続されている。スイッチング回路（１３）のそれぞれ第３と第４の出力（それぞれ１３．３、１３．４）は、スイッチング回路（１３）のそれぞれ第３と第４のスイッチ（それぞれ１３３、１３４）の第１のポールに接続されている。スプリッタ（１７）の”下流向き”といわれる入力（１７３から１７６）とスイッチング回路（１３）の対応する出力（１３．１から１３．４）の間の各リンクも、共通点によりアースに接続されている。それぞれ第１と第２のスイッチ（それぞれ１３１，１３２）の出力（それぞれ１３１０、１３２０）は、外部データバス（１５０）を通して復号器（１）のいわゆる主マイクロプロセッサ（１５）と通信する、ＵＳＢコントローラ（１４）の入力／出力の組み（それぞれ１４１、１４２）に接続されている。
【００２７】
Ａタイプのコネクタ（１２）のそれぞれ第２のと第３のピン（それぞれ１２２、１２３）は、それぞれ第４と第３のスイッチ（それぞれ１３４、１３３）の出力（それぞれ１３４０，１３３０）に接続されている。スイッチング回路（１３）の第５の入力（１３．５）は、第１のスイッチ（１３１）の第２のポールに接続されている。この第５の入力（１３．５）は、線により、スイッチング回路（１３）の第６の（１３．６）入力にも接続されている。この第６の入力（１３．６）は、第３のスイッチ（１３３）の第２のポールにも接続されている。スイッチング回路（１３）の第７の入力（１３．７）は、第２のスイッチ（１３２）の第２のポールに接続されている。この第７の入力（１３．７）は、線により、スイッチング回路（１３）の第８の（１３．８）入力にも接続されている。この第８の入力（１３．８）は第４のスイッチ（１３４）の第２のポールに接続されている。
【００２８】
従来技術に従って、ＵＳＢバスのマスタ装置は電源電圧（ＶＢＵＳ）を供給しなければならない。動作の２つのモードのうちの１つがＵＳＢバスのマスタである復号器（１）は、Ａタイプコネクタ（１２）の第４のピン（１２４）は、ＵＳＢバスの電源電圧を発生するための装置（１６）に接続されている。Ａタイプコネクタ（１２）の第４のピン（１２４）と電源電圧発生装置（１６）の間のそのラインは、短絡回路に対する電源電圧発生装置（１６）の保護の手段（１６０，１６１）も有する。保護のこれらの手段（１６０）は、本例に従って、主プロセッサ（１５）に接続された制御論理（１６１）に接続された、ＭＩＣＲＥＬ社により販売されるＭＩＣ２５２５部品（１６）を有する。
【００２９】
ＵＳＢコントローラ（１４）は、例えば、ＳＣＡＮＬＯＧＩＣ社により販売されるＳＬ８１１１Ｈ部品である。
【００３０】
復号器の動作の２つのモードは、第１のポールから第２のポールに又はその逆に、４連スイッチ（１３１から１３４）をスイッチングすることにより得られる。
【００３１】
４連スイッチ（１３１から１３４）への、状態の変化は、即ち、第１のポールから第２のポールへの変化は、ＵＳＢバスの電源電圧の出現を検出するための信号によりトリガされる。この信号は、Ｂタイプコネクタ（１１）の第４のピン（１１４）に接続された第１の線（１００．１）により送られる。このピン（１１４）は、従って、ＡタイプのＵＳＢコネクタ（２１．１）を装備するマスタ装置（２）により発生されたＢＵＳ電源電圧（ＶＢＵＳ）を受けることが意図されている。この第１の線（１００．１）は、最初にＵＳＢコントローラ（１４）の入力（１４３）へ接続され、第２に復号器（１）の主プロセッサ（１５）の入力（１５１）に接続され、そして、第３に本例示に実施例に従ってスイッチング回路（１３）を構成する４連スイッチ（１３１から１３４）の各制御入力に接続される。
【００３２】
この第1のライン（１００．１）は、４連スイッチ（１３１から１３４）へ、コントローラ（１４）へ、そして、主マイクロプロセッサ（１５）へ、復号器（１）のＢタイプのコネクタ（１１）の第４のピン（１１４）に電源電圧（ＶＢＵＳ）が出現したことを示す制御信号を送ることが意図されている。電圧を示す信号は、電圧それ自身か又はスイッチング回路（１３）、ＵＳＢコントローラ（１４）及び、主マイクロプロセッサ（１５）により電源電圧（ＶＢＵＳ）の出現の信号として変換されたハイ又はロー信号のいずれかである。
【００３３】
本例示の実施例に従って、電源電圧がＢタイプのＵＳＢコネクタ（１１）の第４のピン（１１４）に出現するとすぐに、且つ電圧が存在する限り、この第１の線（１００．１）は、対応する信号を４連スイッチ（１３１から１３４）の４つの切換入力に送り、それにより、スイッチング回路（１３）の第１、第２、第３及び、第４の入力（１３．１から１３．４）を４連スイッチ（１３１から１４３）の出力（１３１０，１３２０，１３３０，１３４０）に接続するために、４連スイッチ（１３１から１３４）は、トグルしそして、太線で示された第１の位置のままでいる。
【００３４】
同様に、第１の線（１００．１）により、ＵＳＢコントローラ（１４）の入力で、ＢタイプのＵＳＢコネクタ（１１）での電源電圧（ＶＢＵＳ）の出現を示す信号の受信は、周辺装置モードへのＵＳＢコントローラ（１４）の切換をトリガする。最後に、主マイクロプロセッサ（１５）の入力（１５１）での、Ｂタイプのコネクタ（１１）での電源電圧（ＶＢＵＳ）の出現を示す信号の受信は、周辺装置モードへの復号器（１）のハードウェアとソフトウェア設定のための手順と、電源電圧発生器（１６）の出力信号の送信の不活性化をトリガする。
【００３５】
このモードでは、コントローラの入力／出力（１４１、１４２）はスプリッタの第３と第４の入力（１７３，１７４）に接続され、そして、ＡタイプＵＳＢコネクタ（１２）の第２と第３のピン（１２２，１２３）は、スプリッタ（１７）の第５と第６の入力（１７５，１７６）に接続される。このように、ＢタイプのＵＳＢコネクタ（１１）に接続されたマスタ装置（２）は、コントローラ（１４）のスイッチング回路（１３）及び主マイクロプロセッサ（１５）を通して、スプリッタ（１７）を通して、例えば、復号器（１）の戻りチャネルのような資源にアクセスできる。
【００３６】
このように、コンピュータ（２）のようなマスタ装置が接続され及び/又はオンされるとすぐに、復号器（１）は、自動的に周辺装置モードに設定される。このモードでは、復号器(１)は選択された設定に従って、例えば、復号器（１）の戻りチャネルを介してインターネットへの接続を可能とするために、コンピュータ（２）に関連するモデムとして、動作することができる。
【００３７】
更に、マスタ装置（２）は、復号器（１）のＡタイプコネクタ（１２）で接続された周辺装置（４）にアクセスできる。この場合には、装置（２）は、第２のスイッチ（１３２）のスプリッタ（１７）の第４の出力（１７４）とＵＳＢコントローラ（１４）の第２の入力／出力（１４２）を通して、命令を主マイクロプロセッサ（１５）に送るために、ＢタイプＵＳＢコネクタ（１１）へ、例えば、スプリッタ（１７）の第２の入力（１７２）に、信号を送る。この命令は、復号器（１）のＡタイプのコネクタ（１２）の第４のピン（１２４）に対する電源命令として、主マイクロプロセッサ（１５）により翻訳される。この命令は、復号器（１）のＡタイプのコネクタ（１２）の第４のピン（１２４）に電気的パワーが供給されることを可能とするために、主マイクロプロセッサ（１５）により、制御論理（１６１）を介してＭＩＣ２５２５に送られる。
【００３８】
このように、周辺装置モードの動作では、復号器（１）のＵＳＢコネクタ（１１，１２）は、同時に使用されることが可能である。
【００３９】
電源電圧（ＶＢＵＳ）がなくなるとすぐに、リンク（１００）と第１の線（１００．１）は、対応する信号をスイッチング回路（１３）に送り、それにより、４連スイッチ（１３１から１３４）は、スイッチング回路（１３）の第５、第６、第７及び、第８の入力（１３．５から１３．８）を、４つのスイッチ（１３１から１３４）の出力（１３１０，１３２０，１３３０，１３４０）に接続するために、破線により示される第２の位置へトグルする。
【００４０】
Ｂタイプのコネクタ（１１）上で、電源電圧（ＶＢＵＳ）を示す信号の消滅は、ＵＳＢコントローラ（１４）の入力（１４３）上で、マスタモードへのＵＳＢコントローラ（１４）の切り換えをトリガする。同様に、Ｂタイプのコネクタ（１１）上で、電源電圧（ＶＢＵＳ）を示す信号の消滅は、主マイクロプロセッサ（１５）の入力（１１５）で、復号器（１）をマスタモードに設定するために、復号器（１）ハードウェア及びソフトウェア設定のための手順をトリガする。
【００４１】
このモードでは、ＢタイプのＵＳＢコネクタ（１１）とスプリッタ（１７）は、全体的に、ＵＳＢコントローラ（１４）のデータストリームから切断される。従って、ＡタイプのＵＳＢコネクタ（１２）のみが、ＵＳＢコントローラ（１４）を介して主マイクロプロセッサ（１５）により使用される。
【００４２】
このように、デフォルトで、即ち復号器（１）が、オンされているマスタ装置（２）へ、ＵＳＢリンクにより接続されない時には、復号器（１）は少なくとも１つの周辺装置（５，６）を制御でき、そして、このようにマスタ装置として動作する。このモードでは、復号器（１）のハードウェアとソフトウェア設定は、例えば、復号器（１）に接続されたプリンタ（４）で、復号器（１）により蓄積された画像をプリントすることを可能とする。
【００４３】
この説明した変形実施例は、ＵＳＢコネクタのトポロジーで実現される。しかしながら、選択されたコネクタの少なくとも１つの導体がバスから周辺装置へマスタ装置のための電源を送るのに使用される限りは、どのような形式の等価なコネクタも使用できる。
【００４４】
本発明は、請求項に記載された本発明のアプリケーションの分野から離れることなしに、多くの他の特定の形式の下で実施例を可能とすることは当業者には理解されよう。従って、本実施例は、説明のためであり、添付の請求項の範囲により画定される範囲内で変更されうる。
【００４５】
特に、本発明は、テレビジョン復号器には制限されず、ケーブルバスに接続可能などのような通信装置にも適用されうる。
【００４６】
【発明の効果】
本発明によって、例えばディジタル復号器のようなオーディオ−ビジュアルプログラムを受信するための装置に、他の装置が復号器にプラグインされる方法を変更することなしに、オーディオ−ビジュアル装置の少なくとも１つの周辺装置の、少なくとも１つの他の装置と接続及び通信を可能とし且つこの他の装置による使用を可能とするのに必要な装置を提供できる。
【図面の簡単な説明】
【図１Ａ】本発明に従った装置とマスタ装置の間の可能な接続及び、それぞれ少なくとも１つの周辺装置を示す図である。
【図１Ｂ】本発明に従った装置とマスタ装置の間の可能な接続及び、それぞれ少なくとも１つの周辺装置を示す図である。
【図２】本発明に従った装置の単純化された回路図を示す図である。
【符号の説明】
１  オーディオ−ビジュアルプログラムを受信する装置
２  マスタ装置
４    スプリッタ
５，６  周辺装置
７  周辺装置
１１  ＢタイプのＵＳＢ（ユニバーサルシリアルバス）コネクタ
１２  ＡタイプのＵＳＢコネクタ
１３  スイッチング回路
１４  ＵＳＢコントローラ
１５  主マイクロプロセッサ
１６  電源電圧発生装置
１７  スプリッタ
１００  電源電圧を送るためのリンク
１１１から１１４、１２１から１２４  ４つのピン
１３１，１３２，１３３，１３４  ４連スイッチ
１５０  外部データバス
１６０，１６１  保護の手段
ＶＢＵＳ  電源電圧
【図１Ａ】
0004764575.tif 000002
【図１Ｂ】
0004764575.tif 000003
【図２】
0004764575.tif 000004